(57)【特許請求の範囲】
【請求項１】
略箱形状の本体ケースと、
前記本体ケース内に配置された第１のファンと、
前記本体ケースの下面に設けた第１の本体吹出口と第１の本体吸込口と、
前記第１の本体吸込口に着脱可能に設けられた空気清浄手段とを備え、
前記空気清浄手段は、
前記第１の本体吸込口に着脱可能なフィルター枠部と、
前記フィルター枠部に装着されたフィルター部とを備え、
前記第１の本体吸込口には、第１の吸込口側取付部分を有し、
前記フィルター枠部には、フィルター枠側取付部分を備え、
前記第１の本体吸込口に前記空気清浄手段を取り付ける場合には、
前記第１の吸込口側取付部分と前記フィルター枠側取付部分とを引っ掛け、
前記本体ケース内に第２のファンを備え、
前記本体ケースの側面には、第２の本体吹出口を設け、
前記本体ケースの下面には、第２の本体吸込口を備え、
前記フィルター枠部は、前記第２のファンが送風する風路の一部であることを特徴とする空気清浄装置。
【請求項２】
前記第１の本体吸込口に前記空気清浄手段を取り付ける場合には、前記第１の本体吸込口の前記第１の吸込口側取付部分に、前記フィルター枠部の一部を前記第２の本体吸込口の下方から前記フィルター枠部の前記フィルター枠側取付部分を上方向へ移動し、次に、前記フィルター枠部の前記フィルター枠側取付部分を水平方向へ移動することを特徴とする請求項１に記載の空気清浄装置。
【請求項３】
前記第１の本体吸込口には、第１の吸込口側落下防止部分を有し、前記フィルター枠部には、フィルター枠側落下防止部分を備え、前記第１の本体吸込口から前記空気清浄手段を取り外す場合には、前記第１の本体吸込口に装着された前記空気清浄手段の前記フィルター枠側取付部分を水平方向へ移動し、次に、前記フィルター枠部の前記フィルター枠側取付部分を下方へ移動すると、前記第１の吸込口側落下防止部分と前記フィルター枠側落下防止部分が引っ掛かることを特徴とする請求項１または２に記載の空気清浄装置。
【請求項４】
略箱形状の本体ケースと、
前記本体ケース内に配置された第１のファンと、
前記本体ケースの下面に設けた第１の本体吹出口と第１の本体吸込口と、
前記第１の本体吸込口に着脱可能に設けられた空気清浄手段とを備え、
前記空気清浄手段は、
前記第１の本体吸込口に着脱可能なフィルター枠部と、
前記フィルター枠部に装着されたフィルター部とを備え、
前記第１の本体吸込口には、第１の吸込口側取付部分を有し、
前記フィルター枠部には、フィルター枠側取付部分を備え、
前記第１の本体吸込口に前記空気清浄手段を取り付ける場合には、前記第１の本体吸込口の前記第１の吸込口側取付部分に、前記フィルター枠部の前記フィルター枠側取付部分を上方向へ移動し、次に、前記フィルター枠部の前記フィルター枠側取付部分を水平方向へ移動し、前記第１の吸込口側取付部分と前記フィルター枠側取付部分とを引っ掛け、
前記第１の本体吸込口には、第１の吸込口側落下防止部分を有し、
前記フィルター枠部には、フィルター枠側落下防止部分を備え、
前記第１の本体吸込口から前記空気清浄手段を取り外す場合には、前記第１の本体吸込口に装着された前記空気清浄手段の前記フィルター枠側取付部分を水平方向へ移動し、次に、前記フィルター枠部の前記フィルター枠側取付部分を下方へ移動すると、前記第１の吸込口側落下防止部分と前記フィルター枠側落下防止部分が引っ掛かることを特徴とする空気清浄装置。
【発明の詳細な説明】
【技術分野】
【０００１】
本発明は、例えば天井に取り付けられる空気清浄装置に関するものである。
【背景技術】
【０００２】
従来のこの種の空気清浄装置の構成は、下記のようなものとなっていた。
【０００３】
すなわち、本体ケースと、本体ケース内に配置された第１のファンと、本体ケースの下面に設けた第１の本体吹出口と第１の本体吸込口と、第１の本体吸込口に着脱可能に設けられた空気清浄手段とを備えている。
【０００４】
空気清浄手段は、第１の本体吸込口に着脱可能なフィルター枠部と、フィルター枠部に装着されたフィルター部とを備えている。フィルター枠部は、上面に逆り形状に形成されたフィルター止め具によりフィルター部を装着されるとともに、受け具に嵌合するよう抜き差し型蝶板が側面に取り付けられている。さらに、フィルター枠部には、抜き差し型蝶板の取り付は部の反対側端部に長穴形状のスライド溝を設け、このスライド溝にＬ形状に形成されたピンが摺動可能に取り付けられ、通常運転時は、受け具に抜き差し型蝶板を嵌合し、フィルター枠部が第１の本体吸込口に装着されるとともに、ピンがスライドされることにより、枠の上面に引っかかり、フィルター枠部は第１の本体吸込口に固定される（例えば特許文献１参照）。
【先行技術文献】
【特許文献】
【０００５】
【特許文献１】特開平０３−６５２０９号公報
【発明の概要】
【発明が解決しようとする課題】
【０００６】
上記従来例で課題となるのは、空気清浄手段の取付け時間の削減ということであった。
【０００７】
すなわち、上記従来例における空気清浄装置は、空気清浄手段を第１の本体吸込口に取付けるために、フィルター枠部には、抜き差し型蝶板、Ｌ形状に形成されたピンを備え、第１の本体吸込口には、受け具、長穴形状のスライド溝を設けていた。
【０００８】
そして、取付け時には、まず、第１の本体吸込口の受け具に、フィルター枠部の抜き差し型蝶板を嵌合させ、次に、第１の本体吸込口のスライド溝に、フィルター枠部のピンを挿入するものであった。
【０００９】
そこで本発明は、空気清浄手段の取付け時間を削減することを目的とするものである。
【課題を解決するための手段】
【００１０】
そして、この目的を達成するために本発明は、略箱形状の本体ケースと、前記本体ケース内に配置された第１のファンと、前記本体ケースの下面に設けた第１の本体吹出口と第１の本体吸込口と、前記第１の本体吸込口に着脱可能に設けられた空気清浄手段とを備え、前記空気清浄手段は、前記第１の本体吸込口に着脱可能なフィルター枠部と、前記フィルター枠部に装着されたフィルター部とを備え、前記第１の本体吸込口には、第１の吸込口側取付部分を有し、前記フィルター枠部には、フィルター枠側取付部分を備え、前記第１の本体吸込口に前記空気清浄手段を取り付ける場合には、前記第１の吸込口側取付部分と前記フィルター枠側取付部分とを引っ掛け、前記本体ケース内に第２のファンを備え、前記本体ケースの側面には、第２の本体吹出口を設け、前記本体ケースの下面には、第２の本体吸込口を備え、前記フィルター枠部は、前記第２のファンが送風する風路の一部であることを特徴とし、これにより初期の目的を達成するものである。
【発明の効果】
【００１１】
以上のように、本発明は、略箱形状の本体ケースと、前記本体ケース内に配置された第１のファンと、前記本体ケースの下面に設けた第１の本体吹出口と第１の本体吸込口と、前記第１の本体吸込口に着脱可能に設けられた空気清浄手段とを備え、前記空気清浄手段は、前記第１の本体吸込口に着脱可能なフィルター枠部と、前記フィルター枠部に装着されたフィルター部とを備え、前記第１の本体吸込口には、第１の吸込口側取付部分を有し、前記フィルター枠部には、フィルター枠側取付部分を備え、前記第１の本体吸込口に前記空気清浄手段を取り付ける場合には、前記第１の吸込口側取付部分と前記フィルター枠側取付部分とを引っ掛け、前記本体ケース内に第２のファンを備え、前記本体ケースの側面には、第２の本体吹出口を設け、前記本体ケースの下面には、第２の本体吸込口を備え、前記フィルター枠部は、前記第２のファンが送風する風路の一部であることを特徴としたので、空気清浄手段の取付け時間を削減でき、フィルター枠部の一部が、第１のファンと第２のファンとが送風する風路の一部となり、部品点数を削減することができる。
【図面の簡単な説明】
【００１３】
【図１】本発明の実施の形態の空気清浄装置の設置状態を示す図
【図２】同空気清浄装置の展開図
【図３】同空気清浄装置の内部を示す図
【図４】同空気清浄装置の断面図
【図５】同空気清浄装置の展開図
【図６】同空気清浄装置の空気清浄手段を示す斜視図
【発明を実施するための形態】
【００１４】
以下、本発明の実施の形態について、図面を参照しながら説明する。
【００１５】
図１は、実施の形態の空気清浄装置の設置状態を示す図である。図２は、実施の形態の空気清浄装置の展開図である。図２は、本体ケースにおける斜め下方から見た状態で、ルーバと、空気清浄手段とを外した展開図である。
【００１６】
図１、図２に示すように、天井埋込形で、換気機能を備えた空気清浄装置に係るものである。
【００１７】
空気清浄装置は、下方から見ると四角形である略箱形状の本体ケース１の下方に、ルーバ２を設け、本体ケース１内には、空気清浄手段５と、後述する第１のファン３と、第２のファン４とを有している。
【００１８】
空気清浄装置は、天井６裏に挿入設置される。本体ケース１は、上下方向の厚みが小さい、下面が開口した略箱形状で、水平断面形状は、四角形である。
【００１９】
本体ケース１の下面の開口には、この開口を塞ぐように装着されるケース下面カバー８を備えている。このケース下面カバー８には、第１の本体吸込口９と、第２の本体吸込口１０と、第１の本体吹出口１１とを備えている。本体ケース１の他方側の側面には、第２の本体吹出口１２を有している。この第２の本体吹出口１２は、屋外と連通するダクト１３に連結される。
【００２０】
空気清浄手段５は、フィルター部５Ａとフィルター枠部５Ｂとを備えている。１例として、フィルター部５Ａは、濾材を蛇腹状に固定した形状で、粉塵を集塵できる集塵ファイルターである。フィルター枠部５Ｂは、軸方向が上下方向に伸びた四角筒形状の筒部分と、筒部分の下端開口縁から内方へ伸びたフランジ部分とを有している。フィルター枠部５Ｂの上端の開口からフィルター部５Ａを挿入すると、フィルター枠部５Ｂ内に、フィルター部５Ａが嵌り、固定される。
【００２１】
ルーバ２は、第１のルーバ吸込口２Ａと、第２のルーバ吸込口２Ｂと、第１のルーバ吹出口２Ｃとを備えている。第１のルーバ吸込口２Ａは、第１の本体吸込口９と連通し、第２のルーバ吸込口２Ｂは、第２の本体吸込口１０と連通し、第１のルーバ吹出口２Ｃは、第１の本体吹出口１１と連通している。
【００２２】
図３は、実施の形態の空気清浄装置の内部を示す図である。図３は、本体ケースにおける下方から見た状態である。図４は、実施の形態の空気清浄装置の断面図である。
【００２３】
図３、図４に示すように、本体ケース１の下端辺には、外方へ伸びるフランジ部７を備えている。本体ケース１は、天井６に開けられた正方形の孔６Ａに挿入され、フランジ部７を介して、ねじによって天井６に固定される。（図１参照）フランジ部７は、ケース下面カバー８に覆われる。
【００２４】
第２のファン４は、第２のケーシング部１４と、この第２のケーシング部１４内に配置された第２の羽根１５と、この第２の羽根１５を駆動する第２のモータ１６とを有している。
【００２５】
第２のモータ１６は、第２のモータ１６の下面より下方へ伸びた第２のモータ回転軸１７を備えている。この第２のモータ回転軸１７に、第２の羽根１５が固定されている。この第２の羽根１５の１例は、シロッコファンである。
【００２６】
第２のケーシング部１４は、第２のファン吸込口（図示せず）と第２のファン吹出口１９とを有している。第２のファン吸込口は、第２の本体吸込口１０と連通し、第２のファン吹出口１９は、第２の本体吹出口１２と連通している。第２のファン吸込口は、本体ケース１の他方側（図３における下側）に設けられている。
【００２７】
第２のモータ１６によって、第２の羽根１５を駆動すると、室内の空気が、ルーバ２の第２のルーバ吸込口２Ｂから本体ケース１内に吸い込まれる。この吸い込まれた空気は、第２のファン吸込口を介して第２のケーシング部１４内に入り、第２のファン吹出口１９を介して、第２の本体吹出口１２から屋外と連通するダクト１３へ送風される。すなわち、室内の空気を屋外へ換気送風するものである。
【００２８】
図２、図３、図４に示すように、ケース下面カバー８は、本体ケース１における一方側（図４における左側、図３における上側）の下面には、第１の本体吸込口９と第２の本体吸込口１０を有し、本体ケース１における他方側（図４における右側、図３における下側）の下面には、第１の本体吹出口１１を備えている。
【００２９】
第１のファン３は、第１のケーシング部２０と、この第１のケーシング部２０内に配置された第１の羽根２１と、この第１の羽根２１を駆動する第１のモータ２２とを有している。
【００３０】
第１のモータ２２は、第１のモータ２２の下面より下方へ伸びた第１のモータ回転軸２３を備えている。この第１のモータ回転軸２３に、第１の羽根２１が固定されている。この第１の羽根２１の１例は、シロッコファンである。
【００３１】
第１のケーシング部２０は、下面には、第１のファン吸込口２４が設けられている。第１のケーシング部２０の側面には、本体ケース１における他方側に開口した第１のファン吹出口２５を有している。
【００３２】
第１の本体吸込口９の上方には、第１のファン吸込口２４を設け、第１のファン吸込口２４は、第１の本体吸込口９と連通している。この第１のファン吸込口２４と第１の本体吸込口９との間の風路には、空気清浄手段５を設けている。空気清浄手段５の１例は、集塵ファイルターである。
【００３３】
第１の本体吹出口１１の上方には、第１のファン吹出口２５を備え、第１のファン吹出口２５は、連通路２６を介して、第１の本体吹出口１１と連通している。連通路は、第１のファン吹出口２５から他方側水平方向に延びた第１の連通路２７と、第１の連通路から下方向に延びた第２の連通路２８とから構成している。
【００３４】
ルーバ２の第１のルーバ吹出口２Ｃは、第３の連通路から他方側斜め下方向に延びた送風路３０を有している。
【００３５】
第１のモータ２２によって、第１の羽根２１を駆動すると、室内の空気が、ルーバ２の第１のルーバ吸込口２Ａから、第１の本体吸込口９に設けられた空気清浄手段５を介して本体ケース１内に吸い込まれる。この吸い込まれた空気は、第１のファン吸込口２４から第１のケーシング部２０内に入り、第１のファン吹出口２５、ルーバ２の第１のルーバ吹出口２Ｃを介して、第１の本体吸込口９から室内へ送風される。すなわち、室内の空気が、空気清浄手段５を介して、循環送風するものである。
【００３６】
図５は、実施の形態の空気清浄装置の展開図である。図５は、本体ケースにおける下方から見た状態で、第１の本体吸込口９に空気清浄手段５を取り付ける場合において、第１の本体吸込口９の第１の吸込口側取付部分３１と、空気清浄手段５のフィルター枠側取付部分３２との対応関係を示した図である。図６は、実施の形態の空気清浄装置の空気清浄手段５を示す斜視である。
【００３７】
図５、６に示すように、本実施形態の特徴は、空気清浄手段５の取付け方法である。具体的には、第１の本体吸込口９には、第１の吸込口側取付部分３１を有し、フィルター枠部５Ｂには、フィルター枠側取付部分３２を備えている。第１の本体吸込口９に空気清浄手段５を取り付ける場合には、第１の本体吸込口９の第１の吸込口側取付部分３１に、フィルター枠部５Ｂのフィルター枠側取付部分３２を上方向へ移動し、次に、フィルター枠部５Ｂのフィルター枠側取付部分３２を水平方向へ移動し、第１の吸込口側取付部分３１とフィルター枠側取付部分３２とを引っ掛ける点である。
【００３８】
１例として、フィルター枠側取付部分３２は、フィルター枠部５Ｂの上端から上方へ延びた複数のＬ字形の板である。第１の吸込口側取付部分３１は、フィルター枠側取付部分３２が入る、軸方向が上下方向である四角形状の孔である。
【００３９】
すなわち、第１の本体吸込口９に空気清浄手段５を取り付ける場合には、第１の本体吸込口９の第１の吸込口側取付部分３１に、フィルター枠部５Ｂのフィルター枠側取付部分３２を上方向へ移動し、次に、フィルター枠部５Ｂのフィルター枠側取付部分３２を水平方向へ移動し、第１の吸込口側取付部分３１とフィルター枠側取付部分３２とを引っ掛けるので、空気清浄手段５の取付け時間を削減することができるものである。
【００４０】
また、フィルター枠部５Ｂは、樹脂成型部品である。フィルター枠側取付部分３２は、フィルター枠部５Ｂの上端から上方へ延びた複数のＬ字形の板であり、フィルター枠部５Ｂと一体に形成している。また、第１の吸込口側取付部分３１は、フィルター枠側取付部分３２が入る、軸方向が上下方向である四角形状の孔である。これにより、部品点数を削減することができる。
【００４１】
また、本体ケース１内に第２のファン４を備え、本体ケース１の側面には、第２の本体吹出口１２を設けている。本体ケース１の下面には、第２の本体吸込口１０を備え、フィルター枠部５Ｂは、第２のファン４が送風する風路の一部である。
【００４２】
すなわち、空気清浄手段５を取り付けられる第１の本体吸込口９と、換気用の第２の本体吸込口１０とは、隣り合っている。ここで、第１の本体吸込口９と第２の本体吸込口１０との間に、フィルター枠部５Ｂの一部が配置される。なお、第１の本体吸込口９と第２の本体吸込口１０は、どちらも吸込口であるので、隣り合い近接していても、吸込口と吹出口とが隣り合い近接して起こるショートサーキットが起きることはない。
【００４３】
第１の本体吸込口９と第２の本体吸込口１０との間に配置されるフィルター枠部５Ｂの一部の外面が、第２のファン４の風路である第２の本体吸込口１０と第２のルーバ吸込口２Ｂとを連通する風路の一部であり、第１の本体吸込口９と第２の本体吸込口１０との間に配置されるフィルター枠部５Ｂの一部の内面が、第１のファン３の風路である第１の本体吸込口９と第１のルーバ吸込口２Ａとを連通する風路の一部である。これにより、フィルター枠部５Ｂの一部が、第１のファン３と第２のファン４とが送風する風路の一部となり、部品点数を削減することができる。
【００４４】
また、第１の本体吸込口９に空気清浄手段５を取り付ける場合には、まず、第１の本体吸込口９の第１の吸込口側取付部分３１に、フィルター枠部５Ｂの一部を第２の本体吸込口１０の下方からフィルター枠部５Ｂのフィルター枠側取付部分３２を上方向へ移動する。次に、フィルター枠部５Ｂのフィルター枠側取付部分３２を水平方向へ移動する。
【００４５】
このように、第１の本体吸込口９に空気清浄手段５を取り付ける場合には、フィルター枠部５Ｂを手で掴み、第１の本体吸込口９と第２の本体吸込口１０の下方へ持っていく。そこから、第１の本体吸込口９の第１の吸込口側取付部分３１に入るように、フィルター枠部５Ｂのフィルター枠側取付部分３２を上方向へ移動させる。次に、フィルター枠部５Ｂのフィルター枠側取付部分３２を水平方向へ移動する。ここで、フィルター枠部５Ｂの一部は、第２の本体吸込口１０の下方に位置しながら、水平方向へ移動し、最後で、第１の本体吸込口９と第２の本体吸込口１０との間の下方に、フィルター枠部５Ｂの一部が、配置される。これにより、第１の本体吸込口９と第２の本体吸込口１０との間のスペースを狭くすることができるので、第１の本体吸込口９と第２の本体吸込口１０を大きくできる。
【００４６】
また、第１の本体吸込口９には、第１の吸込口側落下防止部分（図示せず）を有し、フィルター枠部５Ｂには、フィルター枠側落下防止部分３３を備えている。第１の本体吸込口９から空気清浄手段５を取り外す場合には、第１の本体吸込口９に装着された空気清浄手段５のフィルター枠側取付部分３２を水平方向へ移動する。次に、フィルター枠部５Ｂのフィルター枠側取付部分３２を下方へ移動すると、第１の吸込口側落下防止部分とフィルター枠側落下防止部分３３が引っ掛かる。具体的には、１例として、第１の吸込口側落下防止部分は、水平方向に延びた板形状である。フィルター枠側落下防止部分は、弾性を持った爪形状である。
【００４７】
すなわち、第１の本体吸込口９から空気清浄手段５を取り外す場合には、第１の吸込口側落下防止部分とフィルター枠側落下防止部分３３が引っ掛かり、空気清浄手段５の自重ではフィルターは落下することがないため、高所での作業の危険を低減できる。
【産業上の利用可能性】
【００４８】
以上のように、本発明は、略箱形状の本体ケースと、前記本体ケース内に配置された第１のファンと、前記本体ケースの下面に設けた第１の本体吹出口と第１の本体吸込口と、前記第１の本体吸込口に着脱可能に設けられた空気清浄手段とを備え、前記空気清浄手段は、前記第１の本体吸込口に着脱可能なフィルター枠部と、前記フィルター枠部に装着されたフィルター部とを備え、前記第１の本体吸込口には、第１の吸込口側取付部分を有し、前記フィルター枠部には、フィルター枠側取付部分を備え、前記第１の本体吸込口に前記空気清浄手段を取り付ける場合には、前記第１の本体吸込口の前記第１の吸込口側取付部分に、前記フィルター枠部の前記フィルター枠側取付部分を上方向へ移動し、次に、前記フィルター枠部の前記フィルター枠側取付部分を水平方向へ移動し、前記第１の吸込口側取付部分と前記フィルター枠側取付部分とを引っ掛けることを特徴としたので、空気清浄手段の取付け時間を削減することができる。
【００４９】
すなわち本発明においては、第１の本体吸込口に空気清浄手段を取り付ける場合には、第１の本体吸込口の第１の吸込口側取付部分に、フィルター枠部のフィルター枠側取付部分を上方向へ移動し、次に、フィルター枠部のフィルター枠側取付部分を水平方向へ移動し、第１の吸込口側取付部分とフィルター枠側取付部分とを引っ掛けるので、空気清浄手段の取付け時間を削減することができるものである。
【００５０】
このため、家庭用、業務用として、天井取り付けされる換気機能を備えた空気清浄装置に広く活用が期待されるものとなる。
【符号の説明】
【００５１】
１      本体ケース
２      ルーバ
２Ａ    第１のルーバ吸込口
２Ｂ    第２のルーバ吸込口
２Ｃ    第１のルーバ吹出口
３      第１のファン
４      第２のファン
５      空気清浄手段
５Ａ    フィルター部
５Ｂ    フィルター枠部
６      天井
６Ａ    孔
７      フランジ部
８      ケース下面カバー
９      第１の本体吸込口
１０      第２の本体吸込口
１１      第１の本体吹出口
１２      第２の本体吹出口
１３      ダクト
１４      第２のケーシング部
１５      第２の羽根
１６      第２のモータ
１７      第２のモータ回転軸
１９      第２のファン吹出口
２０      第１のケーシング部
２１      第１の羽根
２２      第１のモータ
２３      第１のモータ回転軸
２４      第１のファン吸込口
２５      第１のファン吹出口
２６      連通路
２７      第１の連通路
２８      第２の連通路
３０      送風路
３１      第１の吸込口側取付部分
３２      フィルター枠側取付部分
３３      フィルター枠側落下防止部分
【図１】
0006467624.tif 000002
【図２】
0006467624.tif 000003
【図３】
0006467624.tif 000004
【図４】
0006467624.tif 000005
【図５】
0006467624.tif 000006
【図６】
0006467624.tif 000007